(57)【要約】【課題】外観安定性が良好であり、被洗物に対する除菌効果に優れた液体洗浄剤を提供すること。【解決手段】陰イオン界面活性剤（ａ１）を含む界面活性剤（Ａ）を３０質量％以下と、一般式（ｂ１）で表される化合物（Ｂ）と、特定の水混和性有機溶剤（Ｃ）と、を含有する液体洗浄剤。式（ｂ１）中、ｎは１〜６の整数である。Ｒ１は直鎖状若しくは分岐鎖状のアルキル基、又は直鎖状若しくは分岐鎖状のアルケニル基である。Ｒ２は水素原子又は（ＣＨ２）ｍＮＨ２である。ｍは１〜６の整数である。［化１］2015218226.tif 000012【選択図】なし【特許請求の範囲】
【請求項１】
陰イオン界面活性剤（ａ１）を含む界面活性剤（Ａ）を３０質量％以下と、
下記一般式（ｂ１）で表される化合物（Ｂ）と、
下記一般式（ｃ１）で表される化合物（Ｃ）と、
を含有することを特徴とする、液体洗浄剤。
【化１】
2015218226.tif 000010
［式中、ｎは１〜６の整数である。Ｒ１は直鎖状若しくは分岐鎖状のアルキル基、又は直鎖状若しくは分岐鎖状のアルケニル基である。Ｒ２は水素原子又は（ＣＨ２）ｍＮＨ２である。ｍは１〜６の整数である。］
【化２】
2015218226.tif 000011
［式中、Ｒ３はフェニル基又はベンジル基である。ｕはＰＯの平均繰返し数、ｖはＥＯの平均繰返し数を表し、ｕは０〜３の数、ｖは０〜３の数であり、１≦ｕ＋ｖ≦６である。ＥＯはオキシエチレン基、ＰＯはオキシプロピレン基を表し、ＥＯとＰＯとは混在して配列してもよい。］
【請求項２】
前記界面活性剤（Ａ）が、非イオン界面活性剤（ａ２）をさらに含むことを特徴とする、請求項１に記載の液体洗浄剤。
【請求項３】
請求項１又は請求項２に記載の液体洗浄剤の製造方法であって、
前記界面活性剤（Ａ）と前記化合物（Ｂ）と前記化合物（Ｃ）とを混合することを特徴とする、液体洗浄剤の製造方法。
【請求項４】
前記化合物（Ｂ）と前記化合物（Ｃ）との混合物（ＢＣ）を得る工程（ｉ）、及び、前記工程（ｉ）で得られた混合物（ＢＣ）と前記界面活性剤（Ａ）とを混合する工程（ｉｉ）を備えたことを特徴とする、請求項３に記載の液体洗浄剤の製造方法。
【発明の詳細な説明】
【技術分野】
【０００１】
本発明は、液体洗浄剤及びその製造方法に関する。
【背景技術】
【０００２】
近年、衣料等の洗濯に用いられる洗浄剤においては、液体洗浄剤の使用比率が高まっている。そして、この液体洗浄剤には、被洗物に付着した汚れに対して高い洗浄力が求められている。
液体洗浄剤のなかには、被洗物に対する除菌効果の向上のため、長鎖アミン等の陽イオン性基剤が配合されているものがある。
例えば、水溶性銀塩、水溶性銅塩又は水溶性亜鉛塩と、特定の一般式で表される長鎖アミンと、を併用した除菌・抗菌剤組成物が開示されている（特許文献１参照）。
また、過酸化水素と、非イオン界面活性剤と、特定の一般式で表される長鎖アミンと、を含有する液体漂白性組成物が開示されている（特許文献２参照）。
【先行技術文献】
【特許文献】
【０００３】
【特許文献１】特開２００９−２３５０５８号公報
【特許文献２】特開２０１３−１３６６９６号公報
【発明の概要】
【発明が解決しようとする課題】
【０００４】
しかし、特許文献１、２に記載の組成物に配合されている長鎖アミンは、水への溶解性が低い。このため、液体洗浄剤に長鎖アミンを用いる場合、該長鎖アミンが充分に分散されず、経時に伴って析出や沈澱を生じやすく、外観安定性を確保するのが難しい。かかる経時に伴う析出や沈澱の発生は、特に界面活性剤の濃度がそれほど高くない組成（３０質量％以下程度）の場合に顕著であり、被洗物に対する除菌効果も得られにくくなる。
本発明は、上記事情を鑑みてなされたものであり、外観安定性が良好であり、被洗物に対する除菌効果に優れた液体洗浄剤を課題とする。
【課題を解決するための手段】
【０００５】
本発明者らは鋭意検討した結果、上記課題を解決するために以下の手段を提供する。
すなわち、本発明の液体洗浄剤は、陰イオン界面活性剤（ａ１）を含む界面活性剤（Ａ）を３０質量％以下と、下記一般式（ｂ１）で表される化合物（Ｂ）と、下記一般式（ｃ１）で表される化合物（Ｃ）と、を含有することを特徴とする。
【０００６】
【化１】
2015218226.tif 000002
［式中、ｎは１〜６の整数である。Ｒ１は直鎖状若しくは分岐鎖状のアルキル基、又は直鎖状若しくは分岐鎖状のアルケニル基である。Ｒ２は水素原子又は（ＣＨ２）ｍＮＨ２である。ｍは１〜６の整数である。］
【０００７】
【化２】
2015218226.tif 000003
［式中、Ｒ３はフェニル基又はベンジル基である。ｕはＰＯの平均繰返し数、ｖはＥＯの平均繰返し数を表し、ｕは０〜３の数、ｖは０〜３の数であり、１≦ｕ＋ｖ≦６である。ＥＯはオキシエチレン基、ＰＯはオキシプロピレン基を表し、ＥＯとＰＯとは混在して配列してもよい。］
【０００８】
本発明の液体洗浄剤においては、前記界面活性剤（Ａ）が、非イオン界面活性剤（ａ２）をさらに含むことが好ましい。
【０００９】
また、本発明の液体洗浄剤の製造方法は、前記本発明の液体洗浄剤の製造方法であって、前記界面活性剤（Ａ）と前記化合物（Ｂ）と前記化合物（Ｃ）とを混合することを特徴とする。なかでも、前記化合物（Ｂ）と前記化合物（Ｃ）との混合物（ＢＣ）を得る工程（ｉ）、及び、前記工程（ｉ）で得られた混合物（ＢＣ）と前記界面活性剤（Ａ）とを混合する工程（ｉｉ）を備えた製造方法が好ましい。
【発明の効果】
【００１０】
本発明の液体洗浄剤は、外観安定性が良好であり、被洗物に対する除菌効果に優れる。
本発明の液体洗浄剤の製造方法によれば、外観安定性が良好であり、被洗物に対する除菌効果に優れた液体洗浄剤を製造できる。
なお、本発明において「除菌」とは、洗浄液中や被洗物表面に存在する菌の数を減少させることをいう。
【発明を実施するための形態】
【００１１】
（液体洗浄剤）
本発明の液体洗浄剤は、陰イオン界面活性剤（ａ１）を含む界面活性剤（Ａ）を３０質量％以下と、一般式（ｂ１）で表される化合物（Ｂ）と、一般式（ｃ１）で表される化合物（Ｃ）と、を含有する。
本発明においては、これらの成分をそれぞれ（ａ１）成分、（Ａ）成分、（Ｂ）成分、（Ｃ）成分ともいう。なお、本発明における（Ａ）成分には、（Ｂ）成分及び（Ｃ）成分はいずれも含まれないものとする。
本発明の液体洗浄剤は、家庭用、工業用の用途として利用可能であり、なかでも家庭用として好適に利用可能であり、衣料用として特に好適である。
洗浄対象となる被洗物の種類は、家庭における洗濯で洗浄対象とされているものと同様のものが挙げられ、たとえば衣料、布巾、タオル類、シーツ等の繊維製品などが例示される。
【００１２】
＜界面活性剤（Ａ）＞
界面活性剤（Ａ）は、陰イオン界面活性剤（ａ１）を含む。
（ａ１）成分以外の界面活性剤としては、衣料用などの液体洗浄剤に通常用いられている界面活性剤を用いることができ、非イオン界面活性剤（ａ２）（以下「（ａ２）成分」ともいう）、陽イオン界面活性剤、両性界面活性剤などが挙げられる。
（Ａ）成分は、（ａ１）成分に加えて、液体洗浄剤の外観安定性、及び被洗物に対する油性シミ除去効果がより向上することから、（ａ２）成分を含むことが好ましい。
液体洗浄剤中、（Ａ）成分の含有量（（ａ１）成分を含む界面活性剤の総量）は、３０質量％以下であり、３０質量％未満が好ましく、より好ましくは２〜２２質量％であり、特に好ましくは５〜２２質量％である。
（Ａ）成分の含有量が３０質量％以下であれば、本発明の効果が顕著に発揮される。一方、好ましい下限値以上であれば、洗浄効果が発揮されやすくなる。
【００１３】
≪陰イオン界面活性剤（ａ１）≫
（ａ１）成分としては、アルキルベンゼンスルホン酸塩（好ましくは、炭素数１０〜１８のアルキル基を有するもの、又は炭素数１０〜１８のアルケニル基を有するもの）、ポリオキシアルキレンアルキルエーテル硫酸エステル塩、アルキル硫酸エステル塩、α−オレフィンスルホン酸塩、α−スルホ脂肪酸塩、α−スルホ脂肪酸低級（好ましくは炭素数１〜５）アルキルエステル塩、二級アルカンスルホン酸塩などが挙げられる。
これらの中でも、アルキルベンゼンスルホン酸塩、ポリオキシアルキレンアルキルエーテル硫酸エステル塩、アルキル硫酸エステル塩、α−オレフィンスルホン酸塩、二級アルカンスルホン酸塩が好ましく、アルキルベンゼンスルホン酸塩、二級アルカンスルホン酸塩がより好ましい。
（ａ１）成分は、１種単独で用いてもよく、２種以上を適宜組み合わせて用いてもよい。
（Ａ）成分に占める（ａ１）成分の割合は、４質量％以上が好ましく、より好ましくは４〜５０質量％であり、１００質量％であってもよい。（Ａ）成分に占める（ａ１）成分の割合が好ましい下限値以上であれば、被洗物に対する油性シミ除去効果がより高まり、一方、（ａ１）成分の割合が好ましい上限値以下であれば、適度な粘度が保たれ、被洗物に塗布する際の使用性が向上する。
液体洗浄剤中、（ａ１）成分の含有量は、１５質量％以下が好ましく、より好ましくは０．５〜１０質量％であり、特に好ましくは１〜５質量％である。
（ａ１）成分の含有量が好ましい下限値以上であれば、液体洗浄剤の外観安定性がより確保されやすくなる。加えて、被洗物に対する油性シミ除去効果がより高まる。一方、（ａ１）成分の含有量が好ましい上限値以下であれば、適度な粘度が保たれ、被洗物に塗布する際の使用性が向上し、また、液体洗浄剤の外観安定性もより向上する。
【００１４】
≪非イオン界面活性剤（ａ２）≫
（ａ２）成分としては、例えば、下記一般式（ａ２−１）で表される非イオン界面活性剤が好適に挙げられる。
【００１５】
【化３】
2015218226.tif 000004
［式中、Ｒ４は炭素数９〜１８の直鎖状もしくは分岐鎖状のアルキル基、又は炭素数９〜１８の直鎖状もしくは分岐鎖状のアルケニル基である。ｐはオキシエチレン基の平均繰返し数を示し、４〜３０の数である。］
【００１６】
前記式（ａ２−１）中、Ｒ４は、炭素数９〜１８の直鎖状もしくは分岐鎖状のアルキル基、又は炭素数９〜１８の直鎖状もしくは分岐鎖状のアルケニル基であり、なかでも炭素数９〜１８の直鎖状もしくは分岐鎖状のアルキル基であることが好ましい。
Ｒ４のアルキル基又はアルケニル基における炭素数は、油性シミ除去効果及び外観安定性がより高まることから、１０〜１６が好ましく、１２〜１４がより好ましい。
ｐは、油性シミ除去効果及び外観安定性がより高まることから、４〜２０の数が好ましく、４〜１０の数がより好ましい。
【００１７】
また、（ａ２）成分としては、ＨＬＢ（親水親油バランス）がＨＬＢ９．５〜１３．５である非イオン界面活性剤が好ましく、ＨＬＢ１０〜１３であるものがより好ましく、ＨＬＢ１１〜１３であるものがさらに好ましい。（ａ２）成分のＨＬＢが好ましい下限値以上であると、製剤としての保存安定性がより良好になるとともに、油性シミ汚れが付着した被洗物への浸透性が高まり、一方、好ましい上限値以下であると、被洗物に対する油性シミ汚れ除去効果がより高まる。
ここで「ＨＬＢ」は、Ｇｒｉｆｆｉｎの方法により求められた値である（吉田、進藤、大垣、山中共編、「新版界面活性剤ハンドブック」、工業図書株式会社、１９９１年、第２３４頁参照）。
【００１８】
また、（ａ２）成分としては、ポリオキシエチレンポリオキシプロピレンアルキル（又はアルケニル）エーテル、ポリオキシエチレンアルキル（又はアルケニル）フェニルエーテル、脂肪酸アルキルエステルアルコキシレート、ポリオキシエチレンソルビタン脂肪酸エステル、ポリオキシエチレンソルビット脂肪酸エステル、ポリオキシエチレン脂肪酸エステル、ポリオキシエチレン硬化ヒマシ油、グリセリン脂肪酸エステル、脂肪酸アルカノールアミド、アルキルグリコシド、アルキルアミンオキサイド等も挙げられる。
【００１９】
（ａ２）成分は、１種単独で用いてもよく、２種以上を適宜組み合わせて用いてもよい。
液体洗浄剤が（ａ２）成分を含有する場合、（Ａ）成分に占める（ａ２）成分の割合は、５０質量％以上が好ましく、より好ましくは５０〜９５質量％である。（Ａ）成分に占める（ａ２）成分の割合が好ましい下限値以上であれば、油性シミ除去効果がより高まり、一方、（ａ２）成分の割合が好ましい上限値以下であれば、外観安定性が高まる。
液体洗浄剤が（ａ２）成分を含有する場合、液体洗浄剤中、（ａ２）成分の含有量は、３０質量％以下が好ましく、より好ましくは３〜２０質量％である。（ａ２）成分の含有量が好ましい下限値以上であれば、液体洗浄剤の外観安定性、及び被洗物に対する油性シミ除去効果がより高まる。一方、（ａ２）成分の含有量が好ましい上限値以下であれば、適度な粘度が保たれ、被洗物に塗布する際の使用性がより向上する。
【００２０】
（ａ１）成分と（ａ２）成分とを併用する場合、液体洗浄剤中の（ａ１）成分と（ａ２）成分との混合比率は、（ａ２）成分／（ａ１）成分で表される質量比が０．５〜２０であることが好ましく、より好ましくは１〜２０である。
（ａ２）成分／（ａ１）成分で表される質量比が好ましい下限値以上であれば、適度な粘度が得られやすくなり、一方、（ａ２）成分／（ａ１）成分で表される質量比が好ましい上限値以下であれば、外観安定性がより高まる。
【００２１】
≪（ａ１）成分及び（ａ２）成分以外の界面活性剤≫
陽イオン界面活性剤としては、例えば、モノ長鎖炭化水素型第４級アンモニウム塩、ジ長鎖炭化水素型第４級アンモニウム塩等の各種第４級アンモニウム塩、アミドアミン塩型界面活性剤等が挙げられ、これらの中ではアミドアミン塩型界面活性剤が好ましい。
アミドアミン塩型界面活性剤としては、例えば、カプリル酸ジメチルアミノプロピルアミド、カプリン酸ジメチルアミノプロピルアミド、ラウリン酸ジメチルアミノプロピルアミド、ミリスチン酸ジメチルアミノプロピルアミド、パルミチン酸ジメチルアミノプロピルアミド、ステアリン酸ジメチルアミノプロピルアミド、ベヘニン酸ジメチルアミノプロピルアミド、オレイン酸ジメチルアミノプロピルアミド等の長鎖脂肪族アミドアルキル３級アミンの塩；パルミチン酸ジエタノールアミノプロピルアミド塩、ステアリン酸ジエタノールアミノプロピルアミド塩等が挙げられる。
両性界面活性剤としては、例えば、アルキルベタイン型、アルキルアミドベタイン型、イミダゾリン型、アルキルアミノスルホン型、アルキルアミノカルボン酸型、アルキルアミドカルボン酸型、アミドアミノ酸型又はリン酸型の両性界面活性剤等が挙げられる。
【００２２】
＜化合物（Ｂ）＞
化合物（Ｂ）は、下記一般式（ｂ１）で表される化合物である。本発明の液体洗浄剤においては、（Ｂ）成分を含有することで、主として除菌性が付与される。
【００２３】
【化４】
2015218226.tif 000005
［式中、ｎは１〜６の整数である。Ｒ１は直鎖状若しくは分岐鎖状のアルキル基、又は直鎖状若しくは分岐鎖状のアルケニル基である。Ｒ２は水素原子又は（ＣＨ２）ｍＮＨ２である。ｍは１〜６の整数である。］
【００２４】
前記式（ｂ１）中、ｎは１〜６の整数であり、被洗物に対する除菌効果がより高まることから、１〜４の整数であることが好ましく、特に好ましくは３である。ｎが６を超えると、充分な除菌効果が得られにくい。
Ｒ１は、直鎖状若しくは分岐鎖状のアルキル基であることが好ましい。Ｒ１のアルキル基又はアルケニル基における炭素数は、菌との親和性が高まることから、炭素数８〜１８が好ましく、炭素数８〜１６がより好ましく、炭素数１０〜１４がさらに好ましい。
Ｒ１として具体的には、ココアルキル（ヤシ油）由来の基、牛脂由来の基、ラウリル基、ミリスチル基、パルミチル基、オレイル基などが挙げられ、これらの中でも、ココアルキル（ヤシ油）由来の基、ラウリル基が好ましく、特に好ましくはラウリル基である。
Ｒ２は、被洗物に対する除菌効果がより高まることから、（ＣＨ２）ｍＮＨ２であることが好ましい。ｍは１〜６の整数であり、被洗物に対する除菌効果がより高まることから、１〜４の整数であることが好ましく、特に好ましくは３である。
（Ｂ）成分のなかでも、被洗物に対する除菌効果がより高まることから、ｍ＝ｎ＝３のＮ，Ｎ−ビス（３−アミノプロピル）アルキルアミンが特に好ましい。
【００２５】
（Ｂ）成分は、１種単独で用いてもよく、２種以上を適宜組み合わせて用いてもよい。
液体洗浄剤中、（Ｂ）成分の含有量は、０．１〜１０質量％が好ましく、より好ましくは０．１〜３質量％であり、特に好ましくは０．３〜３質量％である。
（Ｂ）成分の含有量が好ましい下限値以上であれば、被洗物に対する除菌効果が得られやすくなり、一方、（Ｂ）成分の含有量が好ましい上限値以下であれば、液体洗浄剤の外観が良好に保たれやすくなる（分離や白濁を生じにくくなる）。
【００２６】
本発明において「（ａ１）成分／（Ｂ）成分で表される質量比」とは、液体洗浄剤中の（Ｂ）成分の含有量に対する、（ａ１）成分の含有量の割合（質量比）を表す。
（ａ１）成分と（Ｂ）成分との混合比率は、（ａ１）成分／（Ｂ）成分で表される質量比が、０．１〜５０であることが好ましく、０．２〜２０であることがより好ましく、０．５〜１０であることがさらに好ましい。
（ａ１）成分／（Ｂ）成分で表される質量比が好ましい下限値以上であれば、液体洗浄剤の外観安定性がより高まり、一方、該質量比が好ましい上限値以下であれば、高い除菌力が得られやすくなる。
【００２７】
＜化合物（Ｃ）＞
化合物（Ｃ）は、下記一般式（ｃ１）で表される化合物である。
【００２８】
【化５】
2015218226.tif 000006
［式中、Ｒ３はフェニル基又はベンジル基である。ｕはＰＯの平均繰返し数、ｖはＥＯの平均繰返し数を表し、ｕは０〜３の数、ｖは０〜３の数であり、１≦ｕ＋ｖ≦６である。ＥＯはオキシエチレン基、ＰＯはオキシプロピレン基を表し、ＥＯとＰＯとは混在して配列してもよい。］
【００２９】
前記式（ｃ１）中、Ｒ３は、フェニル基又はベンジル基である。
（ＥＯ）ｖ／（ＰＯ）ｕにおけるＥＯとＰＯとは、いずれか一方のみが存在していてもよく、混在して配列してもよい。（ＥＯ）ｖ／（ＰＯ）ｕは、ＥＯとＰＯとがそれぞれランダム状に付加していてもよくブロック状に付加していてもよい。
（Ｃ）成分として具体的には、ポリオキシエチレンモノフェニルエーテル、ポリオキシプロピレンモノフェニルエーテル、ポリオキシエチレンポリオキシプロピレンモノフェニルエーテル、ポリオキシエチレンモノベンジルエーテル、ポリオキシプロピレンモノベンジルエーテル、ポリオキシエチレンポリオキシプロピレンモノベンジルエーテル等が挙げられる。
これらの中でも、外観安定性及び除菌力がより向上することから、ポリオキシエチレンモノフェニルエーテルが好ましく、ポリオキシエチレンモノフェニルエーテル（ｖ＝１〜４、ｕ＝０）がより好ましい。
【００３０】
（Ｃ）成分は、１種単独で用いてもよく、２種以上を適宜組み合わせて用いてもよい。
液体洗浄剤中、（Ｃ）成分の含有量は、０．５〜１５質量％が好ましく、より好ましくは１〜１０質量％である。
（Ｃ）成分の含有量が好ましい下限値以上であれば、外観安定性、除菌効果、油性シミ除去効果がより向上し、一方、（Ｃ）成分の含有量が好ましい上限値以下であれば、適度な粘度が保たれ、被洗物に塗布する際の使用性がより向上する。
【００３１】
本発明において「（Ｃ）成分／（Ｂ）成分で表される質量比」とは、液体洗浄剤中の（Ｂ）成分の含有量に対する、（Ｃ）成分の含有量の割合（質量比）を表す。
（Ｂ）成分と（Ｃ）成分との混合比率は、（Ｃ）成分／（Ｂ）成分で表される質量比が、０．１〜５０であることが好ましく、０．２〜２０であることがより好ましく、１〜１５であることがさらに好ましい。
（Ｃ）成分／（Ｂ）成分で表される質量比が前記の好ましい範囲であると、高い除菌力が得られやすく、外観安定性もより良好である。
（Ｃ）成分／（Ｂ）成分で表される質量比が好ましい下限値以上であれば、液体洗浄剤の外観安定性がより高まり、一方、該質量比が好ましい上限値以下であれば、高い除菌力が得られやすくなる。
【００３２】
＜溶媒：水＞
本発明の液体洗浄剤は、調製しやすさ、使用する際の水への溶解性等の観点から、溶媒として水を含有することが好ましい。
液体洗浄剤中の水の含有量は、液体洗浄剤の総量に対して５０〜９５質量％が好ましく、６０〜９０質量％がより好ましく、７０〜８５質量％がさらに好ましい。
水の含有量が好ましい下限値以上であると、経時に伴う液体洗浄剤の液安定性がより良好となり、一方、好ましい上限値以下であれば、液粘度が適度に低くなり、使用性の観点から良好である。
【００３３】
＜任意成分＞
本発明の液体洗浄剤には、本発明の効果を損なわない範囲で必要に応じて、上述した（Ａ）〜（Ｃ）成分以外のその他の成分を配合してもよい。
その他の成分としては、衣料用などの液体洗浄剤、液体漂白洗浄剤、液体漂白剤等に通常用いられる成分を配合することができ、具体的には、過酸化水素、漂白活性化剤、キレート剤、ラジカルトラップ剤成分、ハイドロトロープ剤、無機塩類、ホウ酸化合物、ポリオール化合物、香料、ｐＨ調整剤などが挙げられる。
【００３４】
≪過酸化水素≫
本発明の液体洗浄剤においては、過酸化水素を配合することで漂白性能が付与される。
液体洗浄剤が過酸化水素を含有する場合、液体洗浄剤中、過酸化水素の含有量は、０．１〜１０質量％が好ましく、より好ましくは０．５〜６質量％であり、特に好ましくは１〜６質量％である。
過酸化水素の含有量が好ましい下限値以上であると、漂白効果がより発揮されやすくなり、加えて、除菌効果もより高まる。一方、好ましい上限値以下であると、経時に伴う液体洗浄剤の液安定性がより向上する。
【００３５】
≪漂白活性化剤≫
漂白活性化剤としては、例えばテトラアセチルエチレンジアミン、ペンタアセチルグルコース、オクタノイルオキシベンゼンスルホン酸ナトリウム、ノナノイルオキシベンゼンスルホン酸ナトリウム、デカノイルオキシベンゼンスルホン酸ナトリウム、ウンデカノイルオキシベンゼンスルホン酸ナトリウム、ドデカノイルオキシベンゼンスルホン酸ナトリウム、オクタノイルオキシ安息香酸、ノナノイルオキシ安息香酸、デカノイルオキシ安息香酸、ウンデカノイルオキシ安息香酸、ドデカノイルオキシ安息香酸、オクタノイルオキシベンゼン、ノナノイルオキシベンゼン、デカノイルオキシベンゼン、ウンデカノイルオキシベンゼン、ドデカノイルオキシベンゼン等の有機過酸前駆体などが挙げられる。これらの中でも、ノナノイルオキシベンゼンスルホン酸ナトリウム、ドデカノイルオキシベンゼンスルホン酸ナトリウム、デカノイルオキシ安息香酸が好ましい。
これら漂白活性化剤は、１種単独で用いてもよく、２種以上を併用してもよい。
液体洗浄剤が漂白活性化剤を含有する場合、液体洗浄剤中、漂白活性化剤の含有量は、漂白力の向上、保存安定性、経済性等の観点から、０．１〜５質量％が好ましく、０．１〜２質量％がより好ましい。
【００３６】
≪キレート剤≫
キレート剤は、Ｆｅ３＋及びＣｕ２＋に対するキレート安定化定数の対数値（ｌｏｇＫ）がそれぞれ１０以上であって、Ｃａ２＋に対するキレート安定化定数の対数値（ｌｏｇＫ）がそれぞれ５．５以上であるキレート剤を用いることが好ましい。Ｆｅ３＋及びＣｕ２＋に対するキレート安定化定数の対数値（ｌｏｇＫ）は、それぞれ１２以上が好ましい。
このようなキレート剤としては、例えばエタン−１，１−ジホスホン酸、エタン−１，１，２−トリホスホン酸塩、１−ヒドロキシエタン−１，１−ジホスホン酸、エタンヒドロキシ−１，１，２−トリホスホン酸、エタン−１，２−ジカルボキシ−１，２−ジホスホン酸、メタンヒドロキシホスホン酸、ニトリロトリメチレンホスホン酸、エチレンジアミンテトラキスメチレンホスホン酸等の有機ホスホン酸誘導体が挙げられる。これらの中でも、１−ヒドロキシエタン−１，１−ジホスホン酸、エチレンジアミンテトラキスメチレンホスホン酸が好ましく、１−ヒドロキシエタン−１，１−ジホスホン酸が特に好ましい。
１−ヒドロキシエタン−１，１−ジホスホン酸としては、市販品を用いることができ、例えばライオン株式会社製の「フェリオックス１１５」、オルブライトウィルソン社製の「ＢＲＩＱＵＥＳＴ  ＡＤＰＡ」、キレスト社製の「キレストＰＨ−２１０」、モンサント社製の「ＤＥＱＵＥＳＴ  ２０１０」等が挙げられる。
【００３７】
≪ラジカルトラップ剤成分≫
ラジカルトラップ剤としては、好ましくはフェノール系ラジカルトラップ剤が使用される。特に、液体洗浄剤が過酸化水素を含有する場合、該液体洗浄剤のｐＨが５以上になると、上述のキレート剤の添加のみでは過酸化水素の分解を充分に抑制できない場合がある。このような場合において、フェノール系ラジカルトラップ剤をキレート剤と共に使用することが好ましい。また、該液体洗浄剤を衣類に塗布後、長時間放置した際などには、過酸化水素と反応性の高い金属等の成分により、過酸化水素の異常分解が起こり、被洗物が損傷される場合もある。かかる場合において、フェノール系ラジカルトラップ剤が該液体洗浄剤に添加されていると、被洗物の損傷を抑制することができる。
フェノール系ラジカルトラップ剤とは、フェノール又はフェノール誘導体であり、このフェノール誘導体としては、フェノール性のＯＨ基を有する化合物、フェノール性のＯＨ基のエステル誘導体、エーテル誘導体等が好ましく挙げられる。置換位置は、オルト位、メタ位、パラ位のいずれでもよい。中でも、フェノール性のＯＨ基を有する化合物がより好ましい。中でも、「Ｇ．Ｅ．Ｐｅｎｋｅｔｈ，Ｊ．Ａｐｐｌ．Ｃｈｅｍ」，７，５１２〜５２１頁（１９５７）に記載された酸化還元電位（Ｏ．Ｐ．）０が１．２５Ｖ以下の化合物が好ましく、０．７５Ｖ以下の化合物がより好ましい。これらの中でも、さらに好ましくは、ジメトキシフェノール、カテコール、ハイドロキノン、４−メトキシフェノール、ジブチルヒドロキシトルエン（ＢＨＴ）等が挙げられ、４−メトキシフェノールが特に好ましい。
液体洗浄剤がラジカルトラップ剤成分を含有する場合、液体洗浄剤中、ラジカルトラップ剤成分の含有量は、過酸化水素の分解抑制効果や経済性等の観点から、０．０１〜６質量％が好ましく、０．０５〜１質量％がより好ましい。
【００３８】
≪ハイドロトロープ剤≫
ハイドロトロープ剤としては、例えば炭素数２〜４のアルコール類、グリコール類、ポリグリコール類、アルキルエーテル類などの水混和性有機溶剤；パラトルエンスルホン酸、安息香酸塩、尿素などが挙げられる。
液体洗浄剤がハイドロトロープ剤を含有する場合、液体洗浄剤中、ハイドロトロープ剤の含有量は、０．０１〜１５質量％が好ましい。
【００３９】
≪無機塩類≫
無機塩類としては、例えば、塩化ナトリウム、塩化カリウム、硫酸ナトリウム、炭酸ナトリウム、炭酸カリウム等が挙げられる。
【００４０】
≪ホウ酸化合物≫
ホウ酸化合物としては、例えば、オルトホウ酸（Ｈ３ＢＯ３）；ホウ酸イオン（ＢＯ３３−）もしくは（ＢＯ４５−）がつくる塩、又はこれらが縮合した陰イオンの塩（縮合ホウ酸塩）等が挙げられる。塩としては、ナトリウム塩、カリウム塩等のアルカリ金属塩；モノエタノールアミン塩、ジエタノールアミン塩等のアルカノールアミン塩；アンモニウム塩等が挙げられる。中でも、アルカリ金属塩が好ましく、ナトリウム塩、カリウム塩がより好ましい。
上述したホウ酸化合物の中でも、オルトホウ酸、ホウ酸ナトリウム、ホウ酸カリウム、ホウ酸アンモニウム、四ホウ酸ナトリウム、四ホウ酸カリウム、四ホウ酸アンモニウム等が好ましく、オルトホウ酸、四ホウ酸ナトリウムがより好ましい。
これらホウ酸化合物は、１種を単独で用いてもよく、２種以上を併用してもよい。
液体洗浄剤がホウ酸化合物を含有する場合、液体洗浄剤中、ホウ酸化合物の含有量は、０．２〜１０質量％が好ましく、１〜５質量％がより好ましい。ホウ酸化合物の含有量が好ましい下限値以上であれば、特に液体洗浄剤の水性のシミ汚れに対する除去効率が向上する。一方、ホウ酸化合物の含有量が好ましい上限値以下であれば、低温における保存安定性が向上する。
【００４１】
≪ポリオール化合物≫
ポリオール化合物は、隣り合う炭素原子の両方にそれぞれ１つずつヒドロキシ基を有する部位が１つ以上存在する化合物である。このような化合物の具体例としては、下記（１）〜（４）に示す化合物が好適に挙げられる。
（１）グリセリン、ジグリセリン、トリグリセリン、アルキル（炭素数１〜１０）ポリグリセリルエーテル（例えば、アルキル（炭素数１〜１０）ジグリセリルエーテル、アルキル（炭素数１〜１０）トリグリセリルエーテル）。
（２）ソルビトール、マンニトール、マルチトース、イノシトール及びフィチン酸から選ばれる糖アルコール類。
（３）グルコース、アピオース、アラビノース、ガラクトース、リキソース、マンノース、ガロース、アルドース、イドース、タロース、キシロース及びフルクトースから選ばれる還元糖類、又はこれらの誘導体（アルキル（ポリ）グリコシド等）。
（４）デンプン、デキストラン、キサンタンガム、グアガム、カードラン、プルラン、アミロース及びセルロースから選ばれる多糖類。
液体洗浄剤がポリオール化合物を含有する場合、液体洗浄剤中、ポリオール化合物の含有量は、０．３〜３５質量％であることが好ましく、１〜３０質量％であることがより好ましく、２〜２０質量％であることが特に好ましい。ポリオール化合物の含有量がこの範囲内であれば、液体洗浄剤の洗浄力が向上する。
【００４２】
≪香料≫
液体洗浄剤には、商品の付加価値向上等を目的として、香料を配合してもよい。
香料とは、香料原料単体、又は、香料原料と香料用溶剤と香料安定化剤等とからなる香料組成物を含むものであり、衣料用などの液体洗浄剤、液体漂白洗浄剤、液体漂白剤等に通常用いられる香料を配合することができる。
液体洗浄剤が香料を含有する場合、液体洗浄剤中、香料の含有量は、好ましくは０．０００１〜１５質量％、より好ましくは０．００１〜１０質量％である。
【００４３】
≪ｐＨ調整剤≫
ｐＨ調整剤としては、例えば、塩酸、硫酸、リン酸等の無機酸；ｐ−トルエンスルホン酸、クエン酸、ホスホン酸誘導体等の有機酸；ホウ酸ナトリウム、水酸化ナトリウム、水酸化カリウム、炭酸ナトリウム、炭酸水素ナトリウム、モノエタノールアミン、ジエタノールアミン、トリエタノールアミン、アンモニア等が挙げられる。
【００４４】
液体洗浄剤の２５℃でのｐＨは、ｐＨ２〜７であることが好ましい。ｐＨが前記範囲内であれば、液体洗浄剤の保存安定性を良好に維持できる。ｐＨが７を超えると、各成分（特に過酸化水素）の分解が起こり、本発明の効果が充分に得られにくくなる場合がある。液体洗浄剤のｐＨの調整は、所定のｐＨとなるように、上記の各種ｐＨ調整剤を適宜用いればよい。
なお、液体洗浄剤の２５℃でのｐＨは、試料を２５℃に調整し、ｐＨメーター（例えば、東亜ディーケーケー株式会社製の製品名「ＨＭ−３０Ｇ」を使用）等により測定される値を示す。
【００４５】
液体洗浄剤の２５℃での粘度は、１０〜３００ｍＰａ・ｓであることが好ましい。粘度が前記範囲内であれば、液体洗浄剤を計量キャップ等に容易に計り取ることができる。
液体洗浄剤の粘度の調整は、例えば、上述した無機塩類などを適宜用いればよい。
なお、液体洗浄剤の２５℃での粘度は、試料を２５℃に調整し、Ｂ型粘度計（ＴＯＫＩＭＥＣ社製）を用いて測定される値を示す（測定条件の一例：ロータＮＯ．２、回転数３０ｒｐｍ、１０回転後の粘度を測定する）。
【００４６】
本発明の液体洗浄剤は、一般的に用いられている容器に収容することができる。この容器としては、例えば、計量キャップを備えたノズル型容器もしくは中栓型容器、自動計量機構もしくは簡易計量機構を備えたスクイズ容器やポンプ容器、液を吹きかけるもしくは泡状に塗布するトリガー容器又はスクイズ容器、液を塗りつける塗布面を持った塗布容器、詰め替え容器（パウチ、薄肉ボトル、付け替えボトル等）等が挙げられる。
【００４７】
本発明の液体洗浄剤の使用方法は、例えば、液体洗浄剤を洗濯時に被洗濯物と一緒に水に投入する方法、予め水に溶解しこれに被洗物を浸漬する方法等が挙げられる。また、漂白性能を有する液体洗浄剤の場合には、該液体洗浄剤を被洗物に塗布後、適宜放置し、その後、通常の洗濯を行ってもよい。
【００４８】
（液体洗浄剤の製造方法）
本発明の液体洗浄剤は、上記の（Ａ）成分と（Ｂ）成分と（Ｃ）成分とを混合することにより製造できる。例えば、（Ａ）成分と（Ｂ）成分と（Ｃ）成分と必要に応じて任意成分とを、溶媒である水に溶解し、ｐＨ調整剤を用いて所定のｐＨに調整することにより製造できる。
なかでも、特に、（Ｂ）成分と（Ｃ）成分との混合物（ＢＣ）を得る工程（ｉ）、及び、該工程（ｉ）で得られた混合物（ＢＣ）と（Ａ）成分とを混合する工程（ｉｉ）を備えた製造方法が好ましく、かかる製造方法によれば、（Ｂ）成分を良好に分散でき、液体洗浄剤の外観安定性がより高まる。
【００４９】
以上説明した本発明の液体洗浄剤は、外観安定性が良好であり、被洗物に対する除菌効果に優れる。
本発明の液体洗浄剤は、陰イオン界面活性剤（ａ１）を含む界面活性剤（Ａ）を３０質量％以下と、一般式（ｂ１）で表される化合物（Ｂ）と、一般式（ｃ１）で表される化合物（Ｃ）と、を含有する。
上述したように、（Ｂ）成分（長鎖アミン）は、水への溶解性が低く、特に界面活性剤の濃度がそれほど高くない組成（３０質量％以下程度）では、（Ｂ）成分を含有する液体洗浄剤は、従来、経時に伴って析出や沈澱を生じやすく、外観安定性を確保するのが難しかった。
本発明の液体洗浄剤においては、洗浄成分として少なくとも（ａ１）成分を用い、かつ、溶剤として（Ｃ）成分を採用したことで、界面活性剤の濃度が高くない組成でも、（Ｂ）成分が充分に分散し、その良好な分散状態が維持され、液体洗浄剤の外観安定性に優れる。加えて、液体洗浄剤の菌に対する親和性や、菌への浸透性が高まるため、被洗物に対する除菌効果が向上する。これらの効果が得られるのは、（Ｃ）成分の親水性と疎水性とのバランスが良いことにより（Ａ）〜（Ｃ）成分の相乗的な作用が良好に働くため、と考えられる。
【００５０】
また、本発明の液体洗浄剤は、被洗物に対する油性シミ除去効果も良好である。
さらに、本発明の液体洗浄剤は、非イオン界面活性剤（ａ２）を併用することで、（Ｂ）成分の分散性、及び被洗物における油性シミ部位への浸透性が高まるため、外観安定性及び油性シミ除去効果がより向上する。
【実施例】
【００５１】
以下に実施例を用いて本発明をさらに詳しく説明するが、本発明はこれら実施例に限定されるものではない。本実施例において、「％」は特に断りがない限り「質量％」を示す。
各例の液体洗浄剤の組成を表１〜３に示した。
本実施例において使用した原料は下記の通りである。
【００５２】
＜界面活性剤（Ａ）＞
≪陰イオン界面活性剤（ａ１）≫
ａ１−１：直鎖アルキル（炭素数１０〜１４）ベンゼンスルホン酸ナトリウム塩。液体洗浄剤の製造時、直鎖アルキル（炭素数１０〜１４）ベンゼンスルホン酸［ライオン株式会社製、純分９６質量％、商品名ライポンＬＨ−２００］が、ｐＨ調整剤である水酸化ナトリウムにより中和されてナトリウム塩となる。
ａ１−２：二級アルカンスルホン酸ナトリウム［クラリアントジャパン株式会社製、商品名ＳＡＳ３０］。
≪非イオン界面活性剤（ａ２）≫
ａ２−１：炭素数１２のアルコール（Ｃ１２ＯＨ）と炭素数１４のアルコール（Ｃ１４ＯＨ）との混合物（質量比Ｃ１２ＯＨ／Ｃ１４ＯＨ＝７５／２５）に、平均６モルのエチレンオキシドが付加したもの、ＨＬＢ１１．６［ライオン株式会社製、商品名レオックスＣＬ−６０］。一般式（ａ２−１）におけるＲ４＝炭素数１２，１４のアルキル基、ｐ＝６。
ａ２−２：炭素数１２のアルコール（Ｃ１２ＯＨ）と炭素数１４のアルコール（Ｃ１４ＯＨ）との混合物（質量比Ｃ１２ＯＨ／Ｃ１４ＯＨ＝７５／２５）に、平均８モルのエチレンオキシドが付加したもの、ＨＬＢ１２．９［ライオン株式会社製、商品名レオックスＣＬ−８０］。一般式（ａ２−１）におけるＲ４＝炭素数１２，１４のアルキル基、ｐ＝８。
【００５３】
＜化合物（Ｂ）＞
ｂ−１：Ｎ，Ｎ−ビス（３−アミノプロピル）ラウリルアミン［ライオン・アクゾ株式会社製、商品名トリアミンＹ１２Ｄ］。一般式（ｂ１）におけるｎ＝３、Ｒ１＝炭素数１２，１４の直鎖状アルキル基、Ｒ２＝（ＣＨ２）３ＮＨ２、ｍ＝３。
ｂ−２：ライオン・アクゾ株式会社製、商品名デュオミンＣＤ。一般式（ｂ１）におけるｎ＝３、Ｒ１＝ヤシ油由来（炭素数１２，１４）のアルキル基、Ｒ２＝水素原子。
ｂ−３：一般式（ｂ１）におけるｎ＝１、Ｒ１＝ヤシ油由来（炭素数１２，１４）のアルキル基、Ｒ２＝水素原子；合成品。
ｂ−４：一般式（ｂ１）におけるｎ＝６、Ｒ１＝ヤシ油由来（炭素数１２，１４）のアルキル基、Ｒ２＝水素原子；合成品。
【００５４】
＜化合物（Ｂ）の比較成分（Ｂ’）＞
ｂ’−１：一般式（ｂ１）におけるｎ＝８、Ｒ１＝ヤシ油由来（炭素数１２，１４）のアルキル基、Ｒ２＝水素原子；合成品。
ｂ’−２：一般式（ｂ１）におけるｎ＝３、Ｒ１＝水素原子、Ｒ２＝水素原子；合成品。
【００５５】
＜化合物（Ｃ）＞
ｃ−１：フェニルポリオキシエチレンアルコール［三洋化成工業株式会社製、純分９０質量％、商品名サンファインＰＨ−２０］。一般式（ｃ１）におけるＲ３＝フェニル基、ｕ＝０、ｖ＝２。
ｃ−２：ベンジルポリオキシエチレンポリオキシプロピレンアルコール。一般式（ｃ１）におけるＲ３＝ベンジル基、ｕ＝１、ｖ＝２、ｕ＋ｖ＝３；合成品。
ｃ−３：フェニルポリオキシエチレンアルコール。一般式（ｃ１）におけるＲ３＝フェニル基、ｕ＝０、ｖ＝１、ｕ＋ｖ＝１；合成品。
ｃ−４：フェニルポリオキシエチレンポリオキシプロピレンアルコール。一般式（ｃ１）におけるＲ３＝フェニル基、ｕ＝１、ｖ＝５、ｕ＋ｖ＝６；合成品。
【００５６】
＜化合物（Ｃ）の比較成分（Ｃ’）＞
ｃ’−１：ブチルカルビトール［日本乳化剤株式会社製、純分８４質量％、商品名ブチルジグリコール（８４）］。一般式（ｃ１）におけるＲ３＝ｎ−ブチル基、ｕ＝０、ｖ＝２。
ｃ’−２：フェニルポリオキシエチレンポリオキシプロピレンアルコール。一般式（ｃ１）におけるＲ３＝フェニル基、ｕ＝８、ｖ＝２、ｕ＋ｖ＝１０；合成品。
【００５７】
＜任意成分＞
過酸化水素：三菱ガス化学株式会社製、純分３５質量％。
ＨＥＤＰ：１−ヒドロキシエタン−１，１−ジホスホン酸［ライオン株式会社製、商品名フェリオックス１１５］。
ＭＱ：４−メトキシフェノール［川口化学工業株式会社製、商品名ＭＱ−Ｆ］。
香料：特開２００３−２６８３９８号公報の表７〜１４に記載の香料組成物Ａ。
ｐＨ調整剤：硫酸（東邦亜鉛株式会社製）、水酸化ナトリウム（鶴見曹達株式会社製）。
【００５８】
＜液体洗浄剤の製造＞
表１〜３に示す組成（配合成分、含有量（質量％））に従い、各例の液体洗浄剤を下記の製造方法によりそれぞれ製造した。
表中、空欄の配合成分がある場合、その配合成分は配合されていない。
表中、配合成分の含有量は純分換算量を示す。
ｐＨ調整剤の含有量を示す「適量」とは、液体洗浄剤のｐＨ（２５℃）を６．０に調整するために加えたｐＨ調整剤（硫酸、水酸化ナトリウム）の総量を示す。
精製水の含有量を示す「バランス」は、液体洗浄剤に含まれる全配合成分の合計の配合量（質量％）が１００質量％となるように加えられる残部を意味する。
「質量比（ａ１）／（Ｂ）」は、液体洗浄剤中の（Ｂ）成分の含有量に対する、（ａ１）成分の含有量の質量比を意味する。
「質量比（Ｃ）／（Ｂ）」は、液体洗浄剤中の（Ｂ）成分の含有量に対する、（Ｃ）成分の含有量の質量比を意味する。
液体洗浄剤のｐＨは、試料を２５℃に調整し、ｐＨメーター（東亜ディーケーケー株式会社製の製品名「ＨＭ−３０Ｇ」を使用）により測定した値を示す。
液体洗浄剤の製造方法を示す「Ｘ」は、（Ｂ）成分と（Ｃ）成分との混合物（ＢＣ）を得る工程（ｉ）と、該工程（ｉ）で得られた混合物（ＢＣ）と界面活性剤（Ａ）とを混合する工程（ｉｉ）とを備えた製造方法であることを意味する。
液体洗浄剤の製造方法を示す「Ｙ」は、（Ｂ）成分と（Ｃ）成分との混合物（ＢＣ）を予め調製することなく製造する方法であることを意味する。
【００５９】
（実施例１）
工程（ｉ）：
（Ｂ）成分を（Ｃ）成分に溶解して混合物（ＢＣ）を得た。
工程（ｉｉ）：
工程（ｉ）で得られた混合物（ＢＣ）と、（ａ１）成分と、過酸化水素と、ＨＥＤＰと、ＭＱと、香料と、を精製水に溶解し、ｐＨ調整剤を用いてｐＨ６．０に調整することにより液体洗浄剤を得た。
【００６０】
（実施例２〜１４）
工程（ｉ）：
（Ｂ）成分を（Ｃ）成分に溶解して混合物（ＢＣ）を得た。
工程（ｉｉ）：
工程（ｉ）で得られた混合物（ＢＣ）と、（ａ１）成分と、（ａ２）成分と、過酸化水素と、ＨＥＤＰと、ＭＱと、香料と、を精製水に溶解し、ｐＨ調整剤を用いてｐＨ６．０に調整することにより液体洗浄剤を得た。
【００６１】
（実施例１５）
過酸化水素を配合しない以外は、実施例１と同様にして液体洗浄剤を得た。
【００６２】
（実施例１６）
（Ｂ）成分としてｂ−３を用いた以外は、実施例２と同様にして液体洗浄剤を得た。
【００６３】
（実施例１７）
（Ｂ）成分としてｂ−４を用いた以外は、実施例２と同様にして液体洗浄剤を得た。
【００６４】
（実施例１８）
（Ｃ）成分としてｃ−３を用いた以外は、実施例２と同様にして液体洗浄剤を得た。
【００６５】
（実施例１９）
（Ｃ）成分としてｃ−４を用いた以外は、実施例２と同様にして液体洗浄剤を得た。
【００６６】
（実施例２０）
（ａ１）成分と、（ａ２）成分と、（Ｃ）成分と、過酸化水素と、ＨＥＤＰと、ＭＱと、香料と、を精製水に溶解した。その後、（Ｂ）成分を混合し、ｐＨ調整剤を用いてｐＨ６．０に調整することにより液体洗浄剤を得た。
【００６７】
（比較例１）
（ａ１）成分と、過酸化水素と、ＨＥＤＰと、ＭＱと、香料と、を精製水に溶解し、ｐＨ調整剤を用いてｐＨ６．０に調整することにより液体洗浄剤を得た。
【００６８】
（比較例２）
（Ｂ）成分と、（ａ１）成分と、過酸化水素と、ＨＥＤＰと、ＭＱと、香料と、を精製水に溶解し、ｐＨ調整剤を用いてｐＨ６．０に調整することにより液体洗浄剤を得た。
【００６９】
（比較例３）
（Ｃ）成分と、（ａ１）成分と、過酸化水素と、ＨＥＤＰと、ＭＱと、香料と、を精製水に溶解し、ｐＨ調整剤を用いてｐＨ６．０に調整することにより液体洗浄剤を得た。
【００７０】
（比較例４）
（Ｂ）成分と、（ａ１）成分と、（ａ２）成分と、過酸化水素と、ＨＥＤＰと、ＭＱと、香料と、を精製水に溶解し、ｐＨ調整剤を用いてｐＨ６．０に調整することにより液体洗浄剤を得た。
【００７１】
（比較例５）
ｃ−１の代わりにｃ’−１を用いた以外は、実施例１と同様にして液体洗浄剤を得た。
【００７２】
（比較例６）
ｂ−１の代わりにｂ’−１を用いた以外は、実施例２と同様にして液体洗浄剤を得た。
【００７３】
（比較例７）
ｃ−１の代わりにｃ’−２を用いた以外は、実施例１と同様にして液体洗浄剤を得た。
【００７４】
（比較例８）
ｂ−１の代わりにｂ’−２を用いた以外は、実施例２と同様にして液体洗浄剤を得た。
【００７５】
（参考例１）
（Ｂ）成分と、（ａ１）成分と、（ａ２）成分と、過酸化水素と、ＨＥＤＰと、ＭＱと、香料と、を精製水に溶解し、ｐＨ調整剤を用いてｐＨ６．０に調整することにより液体洗浄剤を得た。
【００７６】
＜液体洗浄剤の評価＞
各例の液体洗浄剤について、以下に示す評価方法により「外観安定性」、「除菌力」、「油性シミ除去効果」の評価をそれぞれ行った。これらの結果を表１〜３に示す。
【００７７】
［外観安定性の評価］
液体洗浄剤の製造直後、及び、製造直後から２４時間放置した後のそれぞれの外観を観察し、下記の評価基準に従い、液体洗浄剤の外観安定性について評価した。
◎：液体洗浄剤の製造直後に濁りは認められず、２４時間放置後も外観の変化は認められない。
○：液体洗浄剤の製造直後に若干の濁りが認められたが、２４時間放置後も満遍なく分散しており、沈殿又は析出は生じていない。
△：液体洗浄剤の製造直後に濁りが認められ、２４時間放置後では沈殿及び析出が生じていた。
×：液体洗浄剤の製造直後、すでに沈殿及び析出が生じていた。
【００７８】
［除菌力の評価］
黄色ブドウ球菌（Ｓｔａｐｈｙｌｏｃｏｃｃｕｓ  ａｕｒｅｕｓ）ＮＢＲＣ１２７３２を、ダイゴ社製ＳＣＤ寒天培地に白金耳にて植菌し、３７℃で２４時間培養した。白金耳を用いて増殖したコロニーを採取し、滅菌水に懸濁させて１×１０８／ｍＬに調製し、これをブドウ球菌懸濁液とした。
ＪＩＳかなきん３号を１ｃｍ四方に切断し、その約０．３ｇを５０ｍＬ容量の遠心管に入れて高圧蒸気滅菌した。ここに、各例の液体洗浄剤を６６６ｐｐｍの濃度（質量基準）になるように滅菌水で希釈した水溶液１０ｍＬを添加して撹拌し、その後、ブドウ球菌懸濁液０．０１ｍＬを添加し、２５℃で１０分間放置した。放置後に０．３ｍＬを抽出し、ダイゴ社製ＳＣＤＬＰ培地２．７ｍＬに添加した。その０．３ｍＬを日本薬局方リン酸緩衝液２．７ｍＬにて順次希釈し、各１ｍＬをダイゴ社製ＳＣＤＬＰ寒天培地と混合した後に３７℃にて混釈培養を行い、生育したコロニー数より生菌数（Ｖ１）を求めた。
また、同様にして、処理液に換えて精製水を用いて生菌数（ＶＯ）を求め、下式により除菌活性値（ΔＬＯＧ）を求めた。
除菌活性値（ΔＬＯＧ）＝ｌｏｇ１０（Ｖ０）−ｌｏｇ１０（Ｖ１）
【００７９】
［油性シミ除去効果の評価］
１）モデル汚垢布の調製
顔面の垢を同じ量で均一に擦り付けた複数枚の綿布（顔垢布）を用意し、１枚当たり４分割して、襟汚れのモデル汚垢布を調製した。
２）洗浄処理
前記モデル汚垢布５枚に、液体洗浄剤０．２ｍＬずつを直接塗布し、５分間放置した後、Ｔｅｒｇ−Ｏ−Ｔｏｍｅｔｅｒ（Ｕ．Ｓ．Ｔｅｓｔｉｎｇ社製）で１０分間洗浄（１２０ｒｐｍ、２５℃、４°ＤＨ水道水、浴比３０、洗剤なし）し、次いで１分間脱水し、２分間流水すすぎを行い、１分間脱水した。
３）洗浄率の算出
洗浄後のモデル汚垢布をアイロンで乾燥した後、反射率計（日本電色社製のΣ９０）を用いて反射率（Ｚ値）を測定した。そして、下式により洗浄率（％）を求めることにより、油性シミ除去効果について評価した。
洗浄率（％）＝（洗浄前のモデル汚垢布のＺ値−洗浄後のモデル汚垢布のＺ値）／（洗浄前のモデル汚垢布のＺ値−顔面の垢を擦り付ける前の綿布のＺ値）×１００
かかる油性シミ除去効果の評価は、モデル汚垢布５枚における洗浄率の平均値で行った。
【００８０】
【表１】
2015218226.tif 000007
【００８１】
【表２】
2015218226.tif 000008
【００８２】
【表３】
2015218226.tif 000009
【００８３】
表１〜３に示す結果から、本発明を適用した実施例１〜２０の液体洗浄剤は、外観安定性が良好であり、被洗物に対する除菌効果に優れていることが分かる。